(57)【要約】      （修正有）【課題】調理容器から吹きこぼれが生じた場合にも、温度検出素子と調理容器との当接を適正に維持して調理容器の温度を精度よく検出できるようにする。【解決手段】五徳に調理容器が載置されて移動側支持体５３が下方に移動したときに、第二コア７０Ｃが磁気ギャップＧに近接して、第一コア６６Ｃと第二コア７０Ｃとによって閉じた磁路が形成され、一次巻線と二次巻線とが電磁的に結合し、制御部５０から、一次巻線および二次巻線を介して、温度検出装置側制御部７０Ａに電力が供給され、温度検出装置側制御部７０Ａによって、温度検出素子５７による検出温度データが二次巻線に入力されたとき、一次巻線に出力される交流電圧を復調する復調部５０ａから出力される温度データに基づき、制御部がコンロバーナの火力の制御を行い、復調部５０ａから検出温度データが出力されないとき、調理容器が非載置と判定してコンロバーナの燃焼を行わない。【選択図】図２
2018013313.tif 000002
【特許請求の範囲】
【請求項１】
ガスコンロ本体の上面のトッププレートに形成したバーナ用開口を経て、その外周に形成された炎孔部が前記トッププレートの上方に突出するように設けられた環状のコンロバーナと、このコンロバーナの点消火および火力の制御を行う制御部と、前記コンロバーナにて加熱される調理容器が載置される五徳と、前記調理容器の底面温度を検出する温度検出装置と、を備え、
前記温度検出装置が、前記ガスコンロ本体の任意の固定部に固定されて縦方向に伸びる固定側支持部材と、前記固定側支持部材に嵌挿されるとともに、  上方に付勢され、かつ、上下動可能に支持された筒状の移動側支持体と、前記移動側支持体の上端に配設され、前記調理容器の上下動に追随して上下動することにより、前記調理容器の底面に常時当接するように構成された当接体と、前記当接体の下面側に、前記当接体と熱的に結合するような態様で配設された温度検出素子と、を備えたガスコンロであって、
前記固定側支持部材が備える、非磁性体からなる第一コア装着領域と、
前記第一コア装着領域に配設された、強磁性体からなり、一部に前記強磁性体が欠損した磁気ギャップを備える第一コアと、
前記移動側支持体が備える第二コア装着領域であって、非磁性体からなり、該移動側支持体の上下動と連動して上下動する第二コア装着領域と、
前記第二コア装着領域に配設された、強磁性体からなる第二コアと、
前記制御部と接続され、前記第一コアがその磁心となる一次巻線と、
前記第二コアがその磁心となる二次巻線と、
前記第二コア装着領域に配設された、前記二次巻線および前記温度検出素子が接続される温度検出装置側制御部と、
前記温度検出装置側制御部によって、前記温度検出素子による検出温度データが前記二次巻線に入力されたとき、前記一次巻線に出力される交流電圧を復調する復調部と、を備え、
前記五徳に前記調理容器が載置されて前記移動側支持体が下方に移動したときに、前記第二コアが、前記第１コアの備える前記磁気ギャップに近接して、前記第一コアと前記第二コアとによって閉じた磁路が形成されるとともに、前記一次巻線と前記二次巻線とが電磁的に結合し、前記制御部から、前記一次巻線および前記二次巻線を介して、前記温度検出装置側制御部に電力が供給されるように構成され、
前記復調部から出力される温度データに基づき、前記制御部が前記コンロバーナの火力の制御を行い、
前記復調部から前記温度検出素子による検出温度データが出力されないとき、前記制御部が、前記五徳上に前記調理容器が載置されていないと判定して、前記コンロバーナの燃焼を行わないように構成されていること
を特徴とする温度検出装置を備えたガスコンロ。
【請求項２】
前記第一コアおよび前記一次巻線が、前記固定側支持部材の下端側に配設され、前記第二コア、前記二次巻線および前記温度検出装置側制御部が、前記移動側支持体の下端側に配設されていること
を特徴とする請求項１記載の温度検出装置を備えたガスコンロ。
【発明の詳細な説明】
【技術分野】
【０００１】
本発明は、ガスコンロに関し、詳しくは、ガスコンロに載置された鍋などの調理容器の温度を検出することができるように構成された、温度検出装置を備えたガスコンロに関する。
【背景技術】
【０００２】
ガスコンロなどの加熱調理機器には、鍋などの調理容器の底面に接してその温度を検知する温度検出装置を備えているものがある。
【０００３】
特許文献１には、そのような温度検出装置として、移動側支持部材と固定側支持部材とを備え、移動側支持部材の上端側に配設された温度検出素子としてのサーミスタが、当接体を介して、調理容器の底部の温度を検出するように構成された温度検出装置が開示されている。
【０００４】
また、特許文献１には、該温度検出装置を備えたガステーブル（ガスコンロ）が示されている。そして、特許文献１に示されている、温度検出装置を備えたガスコンロにおいては、特に具体的な記載はないが、サーミスタに接続されたリード線は、ガスコンロ本体内に配置される途中配線を経由して、制御部に接続されることになる。
【先行技術文献】
【特許文献】
【０００５】
【特許文献１】特開２０１２−２３３６０１号公報
【発明の概要】
【発明が解決しようとする課題】
【０００６】
ところで、コンロバーナによって鍋などの調理容器を加熱して加熱調理を行う際に、調理容器から吹きこぼれが生じ、吹きこぼれた煮汁がガスコンロ本体内に配置される配線（途中配線）に付着する場合がある。そして、そのような場合、途中配線に付着した煮汁から水分が蒸発して、途中配線がガスコンロ本体に固着してしまうおそれも皆無ではない。
【０００７】
途中配線がガスコンロ本体に固着してしまうと、温度検出装置を構成する移動側支持部材の上下動が円滑に行われなくなり、温度検出装置の上記当接部と調理容器の底面とを十分に当接させることができずに、調理容器の温度を適正に検出することができなくなるおそれがある。そして、調理容器の温度を適正に検出できなくなると、温度検出装置の検出温度に基づいて行われるコンロバーナの火力制御を的確に行うことが困難になるという問題点がある。
【０００８】
本発明は、上記課題を解決するものであり、調理容器から吹きこぼれが生じた場合にも、例えば、上述の当接部とサーミスタなどの温度検出素子を備えた温度検出部と、調理容器の底面との当接が適正に維持され、調理容器の温度を精度よく確実に検出することが可能な、温度検出装置を備えたガスコンロを提供することを目的とする。
【課題を解決するための手段】
【０００９】
上記課題を解決するために、本発明の温度検出装置を備えたガスコンロは、
ガスコンロ本体の上面のトッププレートに形成したバーナ用開口を経て、その外周に形成された炎孔部が前記トッププレートの上方に突出するように設けられた環状のコンロバーナと、このコンロバーナの点消火および火力の制御を行う制御部と、前記コンロバーナにて加熱される調理容器が載置される五徳と、前記調理容器の底面温度を検出する温度検出装置と、を備え、
前記温度検出装置が、前記ガスコンロ本体の任意の固定部に固定されて縦方向に伸びる固定側支持部材と、前記固定側支持部材に嵌挿されるとともに、  上方に付勢され、かつ、上下動可能に支持された筒状の移動側支持体と、前記移動側支持体の上端に配設され、前記調理容器の上下動に追随して上下動することにより、前記調理容器の底面に常時当接するように構成された当接体と、前記当接体の下面側に、前記当接体と熱的に結合するような態様で配設された温度検出素子と、を備えたガスコンロであって、
前記固定側支持部材が備える、非磁性体からなる第一コア装着領域と、
前記第一コア装着領域に配設された、強磁性体からなり、一部に前記強磁性体が欠損した磁気ギャップを備える第一コアと、
前記移動側支持体が備える第二コア装着領域であって、非磁性体からなり、該移動側支持体の上下動と連動して上下動する第二コア装着領域と、
前記第二コア装着領域に配設された、強磁性体からなる第二コアと、
前記制御部と接続され、前記第一コアがその磁心となる一次巻線と、
前記第二コアがその磁心となる二次巻線と、
前記第二コア装着領域に配設された、前記二次巻線および前記温度検出素子が接続される温度検出装置側制御部と、
前記温度検出装置側制御部によって、前記温度検出素子による検出温度データが前記二次巻線に入力されたとき、前記一次巻線に出力される交流電圧を復調する復調部と、を備え、
前記五徳に前記調理容器が載置されて前記移動側支持体が下方に移動したときに、前記第二コアが、前記第１コアの備える前記磁気ギャップに近接して、前記第一コアと前記第二コアとによって閉じた磁路が形成されるとともに、前記一次巻線と前記二次巻線とが電磁的に結合し、前記制御部から、前記一次巻線および前記二次巻線を介して、前記温度検出装置側制御部に電力が供給されるように構成され、
前記復調部から出力される温度データに基づき、前記制御部が前記コンロバーナの火力の制御を行い、
前記復調部から前記温度検出素子による検出温度データが出力されないとき、前記制御部が、前記五徳上に前記調理容器が載置されていないと判定して、前記コンロバーナの燃焼を行わないように構成されていること
を特徴としている。
【００１０】
また、本発明の温度検出装置を備えたガスコンロにおいては、前記第一コアおよび前記一次巻線が、前記固定側支持部材の下端側に配設され、前記第二コア、前記二次巻線および前記温度検出装置側制御部が、前記移動側支持体の下端側に配設されていることが好ましい。
【発明の効果】
【００１１】
本発明の温度検出装置を備えたガスコンロは、上述のように構成されているので、移動側支持部材と制御部とをリード線により接続することが不要で、調理容器からの吹きこぼれが生じた場合にも、リード線が、調理容器から吹きこぼれた煮汁によりガスコンロ本体に固着して、移動側支持部材の円滑な上下動が妨げられることを防止することが可能になる。
【００１２】
その結果、調理容器から吹きこぼれが生じた場合にも、温度検出装置の当接体と調理容器の底面との当接が適正に維持され、調理容器の温度を精度よく検出することが可能な、信頼性の高いガスコンロを得ることができるようになる。
【００１３】
また、五徳上に調理容器が載置されていないときにはコンロバーナの燃焼を行わないので、無駄にエネルギーを消費しない経済的なガスコンロを実現することができる。
【００１４】
また、第一コアおよび一次巻線が、固定側支持部材の下端側に配設され、第二コア、二次巻線および温度検出装置側制御部が、移動側支持体の下端側に配設された構成とした場合、調理容器に当接する当接体が移動側支持体の上端に設けられているため、第一コア、一次巻線および第二コア、二次巻線および温度検出装置側制御部がコンロバーナの加熱により高温になることを抑制して、信頼性を向上させることができる。
【図面の簡単な説明】
【００１５】
【図１】本発明の実施形態にかかる温度検出装置を備えたガスコンロの要部側面図である。
【図２】本発明の実施形態にかかるガスコンロに用いられている温度検出装置の要部構成を示す一部切欠き正面図である。
【図３】本発明の実施形態にかかるガスコンロに用いられている温度検出装置の、五徳上への調理容器の非載置状態における要部構成を示す一部切欠き正断面図である。
【図４】本発明の実施形態にかかるガスコンロに用いられている温度検出装置の要部構成を示す平断面図である。
【図５】本発明の実施形態にかかるガスコンロに用いられている温度検出装置の、五徳上への調理容器の載置状態における要部構成を示す一部切欠き正断面図である。
【発明を実施するための形態】
【００１６】
以下、本発明の実施形態を示して、その特徴とするところを詳しく説明する。
【００１７】
本発明の実施形態にかかるガスコンロに用いられている温度検出装置１は、図１に示すように、ガスコンロ（加熱調理機器）のバーナ部に配設されて、鍋などの調理容器２の温度を検出するために用いられる温度検出装置である。
【００１８】
なお、ガスコンロおよびそのバーナ部の構成は既に周知であることから、詳細な構造は図示を省略し、要部構成を図１に示している。
【００１９】
また、ガスコンロには、１台のバーナ部または横方向に並ぶ２台のバーナ部、あるいはそれ以上のバーナ部を備えたものなどがあるが（図示省略）、ここでは温度検出装置１を備えた１つのバーナ部について、その構造を以下に説明する。
【００２０】
図１に示すように、バーナ部においては、混合管３３の先端に環状のバーナベース４１が連結されている。また、バーナベース４１の上部には環状のバーナキャップ５が着脱自在に載置されている。そして、バーナベース４１およびバーナキャップ５の略中心には、上下に貫通するように挿入孔４が設けられている。
【００２１】
バーナキャップ５の周縁には溝が形成され、バーナキャップ５がバーナベース４１に載置されると、バーナベース４１とバーナキャップ５との間に外方に向けて炎を形成する複数の炎口（図示せず）が周方向に沿って間隔を隔てて形成されるように構成されている。
【００２２】
また、前記バーナキャップ５は、ガスコンロのトッププレート１１に形成されたバーナ用開口部内の略中心に位置するように設けられ、このバーナ用開口部の周縁のトッププレート１１には、調理容器２を載置するための五徳１２が設けられている。
【００２３】
また、この実施形態にかかる温度検出装置を備えたガスコンロにおいては、図示しない点消火操作部の操作に基づいて、制御部（本体側制御部）５０（図１）により、コンロバーナ１０による加熱の制御が行われるように構成されている。
【００２４】
次に、このバーナ−部に配設された温度検出装置１について説明する。図２は、温度検出装置１の一部切欠き正面図である。
【００２５】
この実施形態の温度検出装置１は、図２に示すように、ガスコンロ本体（調理器本体）９の固定部３（図１）に固定される円筒状の固定側支持部材５６と、この固定側支持部材５６に上下スライド移動可能に装着された円筒状の移動側支持体（移動側支持筒）５３とを備えている。
【００２６】
そして、五徳１２に調理容器２が載置されると、移動側支持体５３は下方に移動し、五徳１２から調理容器２が取り除かれると、移動側支持体５３は、スプリング５４によって付勢されて上方に移動し、図２の状態に戻るように構成されている。
【００２７】
移動側支持体５３の上端に設けられた当接体５１の下面側には、フランジ部６２ａと、フランジ部の下面から下方に垂下形成された筒状収納部６２ｂとを備えるサーミスタ固定部材６２が配設されており、このサーミスタ固定部材６２の筒状収納部６２ｂに、温度検出素子としてのサーミスタ５７が組み込まれている。
【００２８】
＜特徴的構成＞
この実施形態にかかる温度検出装置を備えたガスコンロにおいては、図１〜３に示すように、円筒状の固定側支持部材５６の下端側の外周領域が、非磁性体からなる第一コア装着領域１６６として機能するように構成されており、第一コア装着領域１６６には、強磁性体からなり、一部に強磁性体が欠損した磁気ギャップＧを備える第一コア６６Ｃが配設されている。
【００２９】
また、円筒状の移動側支持体５３の下端側の内部空間が、非磁性体からなる第二コア装着領域１７０として機能し、第二コア装着領域１７０は、移動側支持体５３の上下動と連動して上下動するように構成されている。そして、この第二コア装着領域１７０には、強磁性体からなる第二コア７０Ｃが配設されている。
【００３０】
また、第一コア６６Ｃには、一次巻線６６（図４）が第一コア６６Ｃがその磁心となるような態様で巻回されており、一次巻線６６（図４）は、制御部（本体側制御部）５０（図１）に接続されている。
【００３１】
また、円筒状の移動側支持体５３の下端側に配設された第二コア７０Ｃには、二次巻線７０が、第二コア７０Ｃがその磁心となるような態様で巻回されており、二次巻線７０は、サーミスタ（温度検出素子）５７が接続されている温度検出装置側制御部７０Ａに接続されている。
【００３２】
すなわち、この実施形態にかかる温度検出装置を備えたガスコンロにおいては、図２に示すように、温度検出装置を構成する円筒状の移動側支持体５３の下端側の内部空間に、温度検出装置側制御部７０Ａが配設されており、サーミスタ（温度検出素子）５７は、サーミスタ用リード線１５ａ，１５ｂを介して、移動側支持体５３の下端側の内部空間に配設された温度検出装置側制御部７０Ａに接続されている。
【００３３】
また、この実施形態にかかる温度検出装置を備えたガスコンロは、温度検出装置側制御部７０Ａによって、サーミスタ（温度検出素子）５７による検出温度データが二次巻線７０に入力されたとき、一次巻線６６（図４）に出力される交流電圧を復調する復調部５０ａ（図１、図２参照）を備えている。
【００３４】
さらに、五徳１２に調理容器２が載置されて移動側支持体５３が下方に移動したときに、第二コア７０Ｃが磁気ギャップＧに近接して、第一コア６６Ｃと第二コア７０Ｃとによって閉じた磁路が形成されるように構成されている。
【００３５】
すなわち、五徳１２に調理容器２が載置されて移動側支持体５３が下方に移動したとき（図５参照）、一次巻線６６と二次巻線７０とが電磁的に結合し、制御部（本体側制御部）５０から、一次巻線６６および二次巻線７０を介して、温度検出装置側制御部７０Ａに電力が供給されるように構成されている。
【００３６】
つまり、制御部（本体側制御部）５０から一次巻線６６に所定の電力供給用周波数（例えば４００Ｈｚ）の交流電圧が印加され、二次巻線７０に発生する交流電圧が温度検出装置側制御部７０Ａで整流されることにより、温度検出装置側制御部７０Ａ用の電力が得られるように構成されている。
【００３７】
これにより、温度検出装置側制御部７０Ａによって、サーミスタ（温度検出素子）５７による検出温度データが二次巻線７０に入力される。具体的には、所定のデータ送信用周波数（例えば５ｋＨｚ）の交流を搬送波とし、この５ｋＨｚの搬送波をサーミスタ（温度検出素子）５７による検出温度に関するデータで変調した信号が、二次巻線７０に重畳して入力される。
【００３８】
また、この実施形態にかかる温度検出装置を備えたガスコンロにおいては、復調部５０ａから出力される温度データに基づいて、制御部（本体側制御部）５０がコンロバーナ１０の火力の制御を行い、復調部５０ａからサーミスタ（温度検出素子）５７による検出温度データが出力されないとき、制御部５０が、五徳１２上に調理容器２が載置されていないと判定して、コンロバーナ１０の燃焼を行わないように構成されている。
【００３９】
つまり、五徳１２上に調理容器２が載置されていないときは、第二コア７０Ｃが磁気ギャップＧよりも上方に位置するため、一次巻線６６と二次巻線７０との電磁的な結合が弱く、制御部５０から、一次巻線６６および二次巻線７７を介して、温度検出装置側制御部７０Ａに電力が十分に供給されにくい状態にあるため、温度検出装置側制御部７０Ａによって、サーミスタ（温度検出素子）５７による検出温度データが二次巻線７０に入力されたとしても、一次巻線６６にはサーミスタ（温度検出素子）５７により検出された検出温度についてのデータが出力されず、制御部５０によって、五徳１２上に調理容器２が載置されていないと判定され、コンロバーナ１０の燃焼が行われることがない。
【００４０】
上述のように、この実施形態にかかる温度検出装置を備えたガスコンロにおいては、移動側支持体５３と制御部（本体側制御部）５０とが、リード線により接続されていないので、従来のガスコンロのように移動側支持体５３と本体側制御部５０を接続するリード線が吹きこぼれた煮汁によってガスコンロ本体９と固着する事象の発生が回避される。その結果、調理容器２からの吹きこぼれが生じた場合にも、温度検出装置１を構成する当接体５１と調理容器２の底面との当接が適正に維持され、調理容器２の温度を精度よく検出することができる。
【００４１】
また、五徳１２上に調理容器２が載置されていないとき、コンロバーナの燃焼を行わないので、無駄にエネルギを消費せず、経済性に優れたガスコンロを実現することができる。
【００４２】
さらに、第一コア６６Ｃおよび一次巻線６６を、固定側支持部材５６の下端側に配設し、第二コア７０Ｃ、二次巻線７０および温度検出装置側制御部７０Ａを、移動側支持体５３の下端側に配設するようにしているので、移動側支持体５３の上端に位置する当接体５１が、調理容器２の底面と接し、また、コンロバーナ（ガスバーナ）１０の炎により加熱されて昇温した場合にも、一次巻線６６、二次巻線７０および温度検出装置側制御部７０Ａがコンロバーナ１０の加熱により高温になることが抑制され、信頼性が向上する。
【００４３】
したがって、本願発明によれば、温度検出の信頼性が高く、エネルギーの無駄が少なく、信頼性の高い温度検出装置を備えたガスコンロを提供することが可能になる。
【００４４】
上記実施形態では、移動側支持体が円筒状のものである場合を例にとって説明したが、移動側支持体は円筒状に限らず、角筒状のものであってもよい。
また、固定側支持体についても、円筒状のものを用いたが、円筒状に限らず、角筒状のものであってもよい。
【００４５】
なお、本発明は上記実施形態に限定されるものではなく、一次巻線、二次巻線、一次コア、二次コアの形状や構造、固定側支持部材、移動側支持体、当接体、温度検出素子などの各部材の具体的な構成などに関し、本発明の範囲内において各種の変形を加えることが可能である。
【符号の説明】
【００４６】
１        温度検出装置
２        調理容器
３        ガスコンロ本体の固定部
４        挿入孔
５        バーナキャップ
９        ガスコンロ本体
１０      コンロバーナ
１１      トッププレート
１２      五徳
１５ａ，１５ｂ      サーミスタ用リード線
３３      混合管
４１      バーナベース
５０      制御部（本体側制御部）
５０ａ    復調部
５１      当接体
５３      移動側支持体
５３ａ    円筒状の移動側支持体の小径部
５４      スプリング（付勢手段）
５６      固定側支持部材
５７      温度検出素子（サーミスタ）
６２      温度検出素子固定部材
６２ａ    フランジ部
６２ｂ    筒状収納部
６６      １次巻線
６６Ｃ    第一コア
７０      ２次巻線
７０Ａ    温度検出装置側制御部
７０Ｃ    第二コア７０Ｃ
１６６    第一コア装着領域
１７０    第二コア装着領域
Ｇ        磁気ギャップ
【図１】
2018013313.tif 000003
【図２】
2018013313.tif 000004
【図３】
2018013313.tif 000005
【図４】
2018013313.tif 000006
【図５】
2018013313.tif 000007